(57)【要約】本発明は、ディスプレイスクリーンを制御する方法に関し、特に、多数のラインから構築された箔ディスプレイに関し、ディスプレイスクリーンは、少なくとも一つの光源と、移動式要素と、光源と局所的に移動式要素を接触させる選択手段とを有し、該選択手段は、列及びカラムの電極と、列及びカラムの電極に制御電圧信号を適用するための手段とを有する。本発明はまた、少なくとも一つの光源と、移動式要素と、光源と局所的に移動式要素を接触させる選択手段とを有し、該選択手段は、列及びカラムの電極と、列及びカラムの電極に制御電圧信号を適用するための手段とを有する、ディスプレイ装置に関する。ピクセルの最小限の切り換え時間のために、すべてのピクセルでないもの、つまりラインは、ディスプレイスクリーンがラインごとにアドレスされる場合に、直ちに活性化できる。この問題を回避するために、本発明は、光源のスイッチを入れることにより所定間隔においてディスプレイスクリーンを照射する段階を後に続けて、光源のスイッチが切られている一方、ラインのグループ又はラインのグループの一部をアドレスする段階を有する新規なアドレス方法を提供する。
2005521085.tif 000002
【特許請求の範囲】
【請求項１】
ラインのグループから構築されたディスプレイスクリーンのドライブ方法であって、より詳細には、少なくとも一つの光源と、移動式要素と、該光源と局所的に該移動式要素を接触させる選択手段とを有し、該選択手段は、列及びカラムの電極と、該列及びカラムの電極に制御電圧信号を適用するための手段とを有し、光源のスイッチが切られている一方、前記ラインのグループ又はグループの一部は表示される画像でラインごとに書き込まれ、その後、与えられた時間間隔において前記光源のスイッチが入れられることを特徴とする方法。
【請求項２】
前記画像の書き込み段階に先立って、前記ラインのグループ又はグループの一部は共にスイッチが切り替わることを特徴とする請求項１に記載の方法。
【請求項３】
前記光源のスイッチは、前記与えられた時間間隔後に切られることを特徴とする請求項１又は２に記載の方法。
【請求項４】
前記画像は、前記与えられた時間間隔後に消去されることを特徴とする前述までに記載の請求項のうちいずれか一項に記載の方法。
【請求項５】
前記ラインのグループ又はグループの一部を連続的にドライブする一方、可変数の時間間隔において前記光源のスイッチが入ることを特徴とする前述までに記載の請求項のうちいずれか一項に記載の方法。
【請求項６】
各光源が一色だけを放射する複数の光源を使用する一方、前記ラインのグループ又はグループの一部は色ごとにドライブされることを特徴とする前述までに記載の請求項のうちいずれか一項に記載の方法。
【請求項７】
少なくとも一つの光源と、移動式要素と、該光源と局所的に該移動式要素を接触させる選択手段とを有して、該選択手段は、列及びカラムの電極と、該列及びカラムの電極に制御電圧信号を適用するための手段とを有するディスプレイスクリーンを有する装置であって、光源のスイッチが切られる一方、前記選択手段は表示される画像でラインごとに前記ラインのグループ又はグループの一部を書き込み、続いて、与えられた時間間隔において前記光源にエネルギーを与えることを特徴とする装置。
【請求項８】
前記装置は、各光源が一色だけを放射する複数の光源を有することを特徴とする請求項７に記載のディスプレイ装置。
【請求項９】
前記光源又は複数の光源は、迅速にスイッチが切り替わることができる光源であることを特徴とする請求項７又は８に記載のディスプレイ装置。
【請求項１０】
前記光源又は複数の光源は、ＬＥＤ又は固体状のレーザーとして形成されることを特徴とする請求項９に記載のディスプレイ装置。
【請求項１１】
前記ラインのグループの一部は、一つのラインであることを特徴とする請求項７乃至１０のいずれか一項に記載のディスプレイ装置。
【発明の詳細な説明】
【技術分野】
【０００１】
本発明は、ラインのグループから構築されたディスプレイスクリーンのドライブ方法に関し、より詳細には、少なくとも一つの光源と、移動式要素と、光源と局所的に移動式要素を接触させる選択手段とを有し、該選択手段は、列及びカラムの電極と、列及びカラムの電極に制御電圧信号を適用するための手段とを有する箔ディスプレイスクリーンに関する。
【０００２】
本発明はまた、少なくとも一つの光源と、移動式要素と、光源と局所的に移動式要素を接触させる選択手段とを有し、該選択手段は、列及びカラムの電極と、列及びカラムの電極に制御電圧信号を適用するための手段とを有する、前述のようなディスプレイスクリーンを有する装置に関する。
【背景技術】
【０００３】
序章に記載したタイプのディスプレイスクリーンを有する装置が知られている（例えば、特許文献１参照）。特許文献１には、操作中に光を生じてトラップされる蛍光物質から構成される第一プレートと、第一プレートとは間隔が離れて配置された第二プレートとを有し、膜の形態の移動式要素が２つのプレート間に組み込まれた、ディスプレイスクリーンを開示している。
【０００４】
第一及び第二プレート上のドライブ可能な電極に制御電圧信号を適用することによって、移動式要素は第一プレートと局所的に接触させることができるか、又は接触はそれに応じて中断することができる。移動式要素が第一プレートと接触する位置において、光は第一プレートから通過できる。これは、画像を表示する可能性を提供する。移動式要素が光源と“能動的な”接触でない場合、第二プレートとの“受動的な”接触である。
【０００５】
この周知の適用において、表示される画像はラインごとに書き込まれて、一方で、列及びカラム電極は、適切な制御電圧信号の手段による列ごとにドライブされるか、又はライン上に表示されるように画像情報に依存してアドレスされる。アドレス方法として、その方法は“インターレーススキャン”又は“進歩的なスキャン”が使用できることを意味する。多数のピクセルを有し、列とカラムから構成された画像の特有の特徴は、各ピクセルが適切に供給された制御電圧信号によって切り替えられる最小時間を要求するということである。この最小限の切り換え時間は、ピクセルが初期状態で第二プレートと受動的な接触であり、適切な制御電圧信号を供給した後、光を伝達するために第一プレートと“能動的な”接触をさせるべきという事実によって与えられる。
【０００６】
ある位置から別の位置までピクセルを確実にしっかりと移動するために、与えられた最小限の切り換え又はアドレス時間が必要とされる。
【０００７】
この最小限の切り換え時間により、ラインごとにディスプレイスクリーンをアドレスする場合、一部のピクセル又はラインを除いて同時に活性化されて生じてよい。ディスプレイスクリーンが均一なグレーレベルのピクチャー情報で書き込まれる場合、この現象は顕著に生じるか、又は少なくとも可視できる。個別のピクセルの切り換え時間及び一つのライン上の個別のピクセルの輝度がさらに多数のピクセルに依存するという事実によると、均一に書き込まれたグレー画像でのあるラインは、許容し難い視覚的な歪みを導く、隣接したラインの輝度から外れる輝度を有することが可能である。
【特許文献１】米国特許第４，１１３，３６０号
【発明の開示】
【発明が解決しようとする課題】
【０００８】
本発明の目的は、前述の現象を除去する新規なドライブ又はアドレス方法を提供することである。
【課題を解決するための手段】
【０００９】
本発明によると、本方法は、光源のスイッチが切られた一方で、ラインのグループ又はグループの一部が表示される画像でラインごとに書き込まれ、その後、与えられた時間間隔において光源のスイッチが入れられることを特徴とする。
【００１０】
適切な制御電圧信号でラインごとにすべてのライン又はラインの一部をドライブし、続いて与えられた時間間隔において光源を切り替えることによって、すべてのドライブされたピクセルは同時に照射されて、同一のグレーレベルはドライブされた画像にわたって表示される。それによって、隣接したピクセル又はラインとは異なる輝度を有する画像のピクセル又はラインが回避される。
【００１１】
本発明によると、前述の好ましい効果は、画像の書き込み段階に先立つ、ラインのグループ又はグループの一部のスイッチは共同して切り替えられて、さらに強められる。
【００１２】
本発明による方法の特定の態様において、この方法は、与えられた時間間隔の後、光源のスイッチが切られ及び／又は画像が消去されることを特徴とする。したがって、ラインは同時に消去され、持続性のライン又はピクセル形態の乱れはブラック画像で生成されない。
【００１３】
より詳細には、本発明による方法は、ラインのグループ又はグループの一部を連続的にドライブする一方で、光源は時間間隔の変数においてスイッチが入ることを特徴とする。結果として、複数のグレーレベルは画像で連続的に画像化でき、一方で、特定の態様において、ラインのグループ又はグループの一部は、各々が一色だけを放射する複数の光源を使用する間に色ごとにドライブされる。
【００１４】
前述の問題に対する解決策として、本発明によるディスプレイ装置は、光源のスイッチが切られる一方で、選択手段は、表示される画像でラインごとにラインのグループ又はグループの一部を書き込み、続いて、与えられた時間間隔において光源を活性化することを特徴とする。
【００１５】
色ごとに異なるピクセル又はラインをドライブ可能にするために、ディスプレイ装置の特別の実施態様は、各々が一色だけを放射する、複数の光源を有することを特徴とする。
【００１６】
より詳細には、光源のスイッチは迅速に切り替わり、ＬＥＤ又は固体状のレーザーとして形成されてよい。
【００１７】
本発明の重要な態様は、箔スクリーンを連続的に照射しない光源の使用であり、その使用で、関連する列及びカラム電極のドライブ後にだけ画像が表示されるが、光源は多数のドライブされたラインの迅速かつ同時照射の目的のため非常に迅速にスイッチが切り替わることができる。
【００１８】
本発明によると、ラインのグループの一部は、一つのラインを有してよい。
【００１９】
本発明の前述及び他の態様は、下記に記載の実施態様から明確となる。
【発明を実施するための最良の形態】
【００２０】
図１及び２は、箔ディスプレイスクリーンの実施態様を概略して示す。箔ディスプレイスクリーン１は、光導波路２（その一つの側はエネルギーを与えることができる光源９を供給される）と簡潔に呼ばれる、光導波管を有する。さらに、箔ディスプレイスクリーンは、光導波路２と光伝達プレート４との間にある距離で組み込まれた移動式要素３を有する。全体の構成は、光透明コーティング７によってカバーされるか又は遮蔽される。
【００２１】
電極５及び６は、移動式要素３の両側に位置し、電極６は光伝達プレート４の表面上に位置し、電極５は光導波路２に位置している。電極５及び６は、互いに関して直角（９０°）で配向された電極のセットを形成する。例えば、電極５のセットは列電極を構成し、電極６のセットは箔ディスプレイスクリーンのカラム電極を構成する。
【００２２】
交差して配向した列及びカラム電極５と６との間に電圧差を局所的に提供することによって、例えば、箔であってよい移動式要素３は、光導波路２上の相関する電極５と、又は列及びカラム電極５と６との間に局所的に適用した電位差の影響下の光伝達プレート４上の相関する電極６と接触させることができる。
【００２３】
光源９によって伝達される光は、光導波路２の側壁で毎回反射する光で、光導波路２を介して伝播する。したがって、光源によって伝達される光は、光導波路２にトラップされる。移動式要素３が電極５と接触し、それによって電極５と６との間に局所的に適用した電圧差の影響下で光導波路２と接触する位置において、光導波路２にトラップされた光は、接触を介して光導波路２から出現できて、それによって生成され、したがって装置を去ることができる。つまり、光伝達プレート４を介し、且つ透明コーティング７を介する箔ディスプレイスクリーンである。この現象は、見る人にとって発光するピクセルに帰着する。
【００２４】
したがって、列及びカラム電極５と６を連続的に迅速で適切なドライブによって、移動式要素３を相関する列電極５又は相関するカラム電極６のいずれかと接触させることは可能である。第一に言及した状況において、移動式要素３は電極６と接触して、光はこのピクセルの位置で逃げず、相関するピクセルのセルは非活性化される。最後に言及した場合において、移動式要素３は電極５と接触して（図２で示されるように）、光はピクセルのセルを介して光導波路から逃げ出し、相関するピクセルは活性化される。
【００２５】
図３ａ及び３ｂに示される実施例は、図１及び２に示されるように周知の箔ディスプレイスクリーンの列及びカラム電極から構成されたマトリックス分野の最新技術と一致するドライブモードに関する。情報で従来の箔ディスプレイスクリーンを書き込む場合、箔ディスプレイスクリーンは、ランプ９（図１参照）によって背後から連続して照射される。この場合、表示される情報は箔ディスプレイスクリーンでラインごとに書き込まれて、交差する列及びカラム電極のマトリックスによって形成されるディスプレイスクリーンの各ピクセルは、異なる列及びカラム電極に適切な制御電圧信号を適用することによって、図２に示されるように、表示される画像に依存して照射するか、又は照射しない。
【００２６】
図３ａ及び３ｂに示されるように、ラインのグループは情報で交互に書き込まれるか若しくは活性化され（文字“Ａ”によって示される）、又は適切なドライブ信号の手段によって非活性化されるか若しくは消去される（文字“Ｄ”によって示される）。ラインｎ、Ｎ＋１、ｎ＋２がドライブされている場合（書き込み及び消去）、文字“Ｌ”によって示されるように、それらライン（各ラインのピクセル）は連続的に照明される。
【００２７】
各ディスプレイスクリーンのピクセルは、非活性化された位置“Ｄ”から活性化された位置“Ａ”まで相関するピクセルをもたらすための与えられた最小限の切り換え又はアドレス時間を必要とする。この最小限の切り換え時間により、一つのライン上の個々のピクセルの輝度は異なってよく、その現象は、ディスプレイスクリーンが均一のグレーレベルのピクチャー情報で書き込まれる場合に顕著に発生する。グレー値又は輝度のそれらの差異は、画像における許容できない視覚的な歪みを引き起こす。
【００２８】
本発明の目的は、図４ａ及び４ｂに示される第一実施態様の列及びカラムから構成された箔ディスプレイスクリーンでのピクセルをドライブ又はアドレスするために適切な方法を提供することである。
【００２９】
図４ａに示される本発明によるアドレス方法の第一実施態様において、ラインｎは、インスタント（instant）ｔ＝１においてアドレスされ（コード“Ａ”参照）、その後、ラインｎ＋１は、インスタントｔ＝２においてアドレスされ、続いて、ラインｎ＋２は、インスタントｔ＝３においてアドレスされ、その後、箔ディスプレイスクリーンが構築されるラインの相関するグループの最後のラインｎ＋３は、コード“Ａ”によって示されるように、インスタントｔ＝４においてアドレスされる。続いて、ランプＬは、インスタントｔ＝５の２期間（ｔ＝６を含むまで）において活性化され、ラインｎからｎ＋３までの画像情報は見る者のために投影できる。インスタントｔ＝７において、ラインのグループのすべてのラインｎ、ｎ＋１、ｎ＋２、ｎ＋３は、非活性されるか又は消去され（“Ｄ”によって示される）、その後、次のアドレスサイクルはインスタントｔ＝８において開始する。光源のスイッチが切られている場合、ラインｎ、ｎ＋１、ｎ＋２、ｎ＋３は、インスタントｔ＝８、ｔ＝９、ｔ＝１０及びｔ＝１１において、新しい（おそらく修正された）情報で連続して書き込まれる。インスタントｔ＝１２において、光源のスイッチは、４期間（ｔ＝１２からｔ＝１５を含むまで）において再度入れられ（配列“ＬＬＬＬ”によって示される）、その後、部分的なグループを構成するラインｎ、ｎ＋１、ｎ＋２、ｎ＋３は、インスタントｔ＝１６において、同時に非活性化される。
【００３０】
新しいアドレスサイクルは、ｔ＝１７からｔ＝２０を含むまでにおいて開始し、その後、光源は、アドレスされたラインを照射する目的のために期間（ｔ＝２１からｔ＝２８まで）において再度エネルギーで活性化される。
【００３１】
光源のスイッチが切られた場合のディスプレイスクリーンの一つ以上のライン電極のグループに関したドライブは、完全なディスプレイスクリーンがドライブされるまで連続して実行できる。光源のスイッチが切られる場合に異なるラインはドライブされ、光源のスイッチが入る場合に与えられた時間間隔において続いて照射されるので、すべてのドライブされたピクセルは同時に照射されて、同一のグレーレベルはドライブされた画像にわたって表示される。したがって、画像のピクセル又はラインは、隣接するピクセル又はラインよりも異なる輝度で表示されることが回避される。
【００３２】
ランプのスイッチが切れた場合（図４ａ参照）のインスタントｔ＝７、ｔ＝１６及びｔ＝２９における同時消去の利点は、したがって、生成されたブラック画像が、持続性のライン又はピクセルによって乱されないことである。
【００３３】
図４ａ（及び図４ｂ）の時間のベースで分かるように、ｎ、ｎ＋１、ｎ＋２、ｎ＋３のラインのドライブされたグループは、様々な期間（この実施態様の期間の増加）で照射され、複数のグレーレベルは連続して画像化できる。
【００３４】
図４ｂに示される他の実施態様において、ｎ、ｎ＋１、ｎ＋２、ｎ＋３のラインのグループが、照射期間において同時に非活性化又は消去される一方で、光源は、画像ラインのグループの一部を形成する、異なるラインごとにドライブされた後、与えられた時間間隔においてドライブされる。図４ｂのインスタントｔ＝７、ｔ＝１９及びｔ＝３３と比較のこと。
【００３５】
これはまた、持続性のライン又はピクセルの乱れ及び歪みを回避する。
【００３６】
図５は、本発明による画像ラインをドライブする別の実施態様を示し、この実施態様では、時間に関して見られるように、ｎ、ｎ＋１、ｎ＋２、ｎ＋３の画像ラインのグループは、インスタントｔ＝１からｔ＝４まで包括して光源のスイッチが切られた場合に連続するインスタントの間に再度活性化されて（マーク“Ａ”を参照）、その後、ここで色が赤であるＲの特定の色を伝達する光源は、期間ｔ＝５乃至ｔ＝６の間に活性化される。インスタントｔ＝７において、ｎ、ｎ＋１、ｎ＋２、ｎ＋３の画像ラインが同時に非活性化されるか又は消去される一方で、赤い光源のスイッチは切られる。結果として、ラインのグループが、ｔ＝８からｔ＝１１を含むまでの連続したインスタントの間にラインごとに再度アドレスされて、その後、赤い光源は、ｔ＝１５を含むまで、異なる持続期間（ここでは、より長い持続、すなわち時間の４単位）を有する時間間隔の間のインスタントｔ＝１２において活性化される。インスタントｔ＝１６において、ｎ、ｎ＋１、ｎ＋２、ｎ＋３を包括する画像ラインのグループが同時に非活性化されるか又は消去される一方で、赤い光源のスイッチは再度切られる。
【００３７】
ｔ＝１７からｔ＝２０を含むまでのインスタントの間、ｎ、ｎ＋１、ｎ＋２、ｎ＋３を包括する画像ラインのグループはラインごとに再度アドレスされて、その後、アドレスされた画像ラインは、スイッチが入っている赤い光源によって、ｔ＝２１からｔ＝２８を含むまでインスタント（再度、持続期間が増加する）で照射される。インスタントｔ＝２９において、ｎ、ｎ＋１、ｎ＋２、ｎ＋３の画像ラインのグループが同時に消去される一方で、赤い光源のスイッチは切られる。結果として、新しいアドレスサイクルは開始し、その後、ｎ、ｎ＋１、ｎ＋２、ｎ＋３を包括する画像ラインのグループがラインごとにアドレスされた後、緑の光源が活性化される。ここで再度、連続するアドレスサイクルの間に、緑の光源は、可変の持続期間（ここでは増加する）を有する期間の間に活性化される。緑の光源のスイッチが切られた後、ラインのグループは、“Ｄ”によって示されるように、同時に非活性化（消去）される。
【００３８】
続いて、アドレスサイクルは、画像ラインｎ乃至ｎ＋３の同じグループにおいて反復され、ここで青色の他の基本色が使用される。結果として、画像ラインのグループは、表示される情報で連続的にアドレスされ、時間間隔で赤、緑及び青の基本色の一つを各光源が放射する、画像ラインのグループが書き込まれた後で、毎回、異なる光源で連続的に照射される。
【図面の簡単な説明】
【００３９】
【図１】箔ディスプレイスクリーンの実施態様を示す図である。
【図２】図１の箔ディスプレイスクリーンの部分図である。
【図３ａ】図１に示されるような列及びカラム電極を有する箔ディスプレイスクリーンの最新技術と一致するドライブモードの実施態様を示す図である。
【図３ｂ】図２に示されるような列及びカラム電極を有する箔ディスプレイスクリーンの最新技術と一致するドライブモードの実施態様を示す図である。
【図４ａ】図１に示されるような列及びカラム電極を有する箔ディスプレイスクリーンの本発明によるドライブモードの実施態様を示す図である。
【図４ｂ】図２に示されるような列及びカラム電極を有する箔ディスプレイスクリーンの本発明によるドライブモードの実施態様を示す図である。
【図５】図１及び２に示されるような列及びカラム電極を有する箔ディスプレイスクリーンの本発明によるドライブモードの実施態様を示す図である。
【図１】
2005521085.tif 000003
【図２】
2005521085.tif 000004
【図３ａ】
2005521085.tif 000005
【図３ｂ】
2005521085.tif 000006
【図４ａ】
2005521085.tif 000007
【図４ｂ】
2005521085.tif 000008
【図５】
2005521085.tif 000009
【国際調査報告】
2005521085.tif 000010
2005521085.tif 000011
2005521085.tif 000012